(57)【要約】【課題】主映像の再生品質向上に寄与する。【解決手段】録画再生装置は、主映像（ＭＭ）を含む録画された対象映像（３１０）に付加情報映像（ＡＡ）が付与されているか否かを、対象映像（３１０）の映像信号に基づいて判定する判定部と、対象映像（３１０）に付加情報映像（ＡＡ）が付与されている場合、対象映像（３１０）から主映像（ＭＭ）を抽出し、抽出主映像を拡大して再生する再生処理部と、を備えている。【選択図】図９
2015039117.tif 000002
【特許請求の範囲】
【請求項１】
主映像を含む録画された対象映像に付加情報映像が付与されているか否かを、前記対象映像の映像信号に基づいて判定する判定部と、
前記対象映像に前記付加情報映像が付与されている場合、前記対象映像から前記主映像を抽出し、抽出主映像を拡大して再生する再生処理部と、を備えた
ことを特徴とする映像再生装置。
【請求項２】
前記判定部は、前記対象映像のフレーム間比較を用いて前記判定を行う
ことを特徴とする請求項１に記載の映像再生装置。
【請求項３】
前記判定部は、前記対象映像のフレーム間比較を用いて前記対象映像内の各位置の映像変化量を検出し、その検出結果を用いて前記判定を行うとともに前記付加情報映像の映像領域を検出する
ことを特徴とする請求項２に記載の映像再生装置。
【請求項４】
前記判定部は、前記対象映像のフレーム間比較を用いて前記対象映像内の各位置の映像変化量を検出し、その検出結果を用いて前記判定を行うとともに前記付加情報映像の映像領域の候補領域を設定し、前記候補領域に基づき前記付加情報映像の映像領域を検出する
ことを特徴とする請求項２に記載の映像再生装置。
【請求項５】
前記付加情報映像の位置及び形状に関する所定のパターン情報を保持するメモリを更に備え、
前記判定部は、前記候補領域と前記パターン情報との照合結果に応じて、前記候補領域を元に前記付加情報映像の映像領域を検出する
ことを特徴とする請求項４に記載の映像再生装置。
【請求項６】
前記判定部は、前記候補領域が前記付加情報映像の映像領域に相当するか否かを、判定基準を用いて決定し、
前記判定基準は、
前記候補領域内の輝度の分布、
前記候補領域内の所定の色成分の分布、
通信又は放送波受信を介して取得された情報であって、前記対象映像の録画時刻を基準とした時刻に関連付けられた情報の内容、の内、少なくとも１つを含む
ことを特徴とする請求項４又は５に記載の映像再生装置。
【請求項７】
前記判定基準は、前記候補領域内の文字の有無又は内容を更に含む
ことを特徴とする請求項６に記載の映像再生装置。
【請求項８】
前記判定部は、前記対象映像の再生を求める指示の入力前に前記判定を行い、
前記再生処理部は、前記対象映像の再生の際に、その判定結果を参照する
ことを特徴とする請求項１乃至７の何れかに記載の映像再生装置。
【請求項９】
前記付加情報映像は、前記対象映像の録画時刻での情報の映像を含む
ことを特徴とする請求項１乃至８の何れかに記載の映像再生装置。
【請求項１０】
主映像を含む録画された対象映像に付加情報映像が付与されているか否かを、前記対象映像の映像信号に基づいて判定する判定ステップと、
前記対象映像に前記付加情報映像が付与されている場合、前記対象映像から前記主映像を抽出し、抽出主映像を拡大して再生する再生処理ステップと、を備えた
ことを特徴とする映像再生方法。
【発明の詳細な説明】
【技術分野】
【０００１】
本発明は、映像再生装置及び映像再生方法に関する。
【背景技術】
【０００２】
データ放送において、映像とデータが別々の情報として送られてくる放送形態がある。その放送形態においては、映像とデータが別々の情報として受信されるが故に、受信側でデータの表示のオン／オフを容易に切り替えることができる。一方、緊急速報等が放送される場合、図１３に示すような、元々放送されるべき主映像９１０と緊急速報等の内容を示す速報映像９２０との合成映像９００が１つの映像として放送局から送られてくることがある。このような映像９００を録画した後、再生すると、速報映像９２０も表示されることになる。速報映像９２０を含む映像９００は、視聴者の意図に関係なく、放送局が定める時間だけ継続して放送され、その継続時間は数分〜数時間に及ぶこともある。
【０００３】
尚、録画番組の中にニュース速報が挿入されていると判別した場合、ニュース速報テロップ部分にマスクキングを自動的に加えて録画又は再生する方法が提案されている（例えば下記特許文献１参照：特に請求項５及び６参照）。また、クロールテキストを含む画像部分を画面から隠す又はブロックする方法も提案されている（例えば下記特許文献２参照：特に要約及び段落［０００５］〜［０００８］参照）。
【先行技術文献】
【特許文献】
【０００４】
【特許文献１】特開２００３−２７４３４４号公報
【特許文献２】特表２００５−５３２７４３号公報
【発明の概要】
【発明が解決しようとする課題】
【０００５】
速報映像９２０は、主映像９１０の放送時刻における緊急速報等を含む。従って、主映像９１０の放送時刻に主映像９１０を視聴する場合には、速報映像９２０は視聴者にとって役に立ちうる。しかしながら、録画済み番組を再生する場合においては、速報映像９２０を表示しても、基本的に視聴者の役に立たない。しかも、映像９００は、速報映像９２０を含まない映像との比較において、速報映像９１０の表示の分、主映像の表示サイズが小さくなる。視聴者が意図しない表示サイズの縮小は、当然、好ましくない。尚、録画対象映像に付与されうる付加情報映像の例として速報映像に注目したが、他の付加情報映像についても同様のことが言える。
【０００６】
そこで本発明は、主映像の再生品質向上に寄与する映像再生装置及び映像再生方法を提供することを目的とする。
【課題を解決するための手段】
【０００７】
本発明に係る映像再生装置は、主映像を含む録画された対象映像に付加情報映像が付与されているか否かを、前記対象映像の映像信号に基づいて判定する判定部と、前記対象映像に前記付加情報映像が付与されている場合、前記対象映像から前記主映像を抽出し、抽出主映像を拡大して再生する再生処理部と、を備えたことを特徴とする。
【０００８】
これにより、対象映像に付加情報映像が付与されている場合であっても、再生が望まれる主映像が大きく映し出され、主映像の再生品質向上が図られる。
【０００９】
具体的には例えば、前記判定部は、前記対象映像のフレーム間比較を用いて前記判定を行うことが好ましい。
【００１０】
速報映像等に対応する付加情報映像は、主映像と違った映像変化特徴を持っていることがある。故に、フレーム間比較を用いることで、付加情報映像の有無等を良好に判定することが可能となる。
【００１１】
より具体的には例えば、前記判定部は、前記対象映像のフレーム間比較を用いて前記対象映像内の各位置の映像変化量を検出し、その検出結果を用いて前記判定を行うとともに前記付加情報映像の映像領域を検出することが好ましい。
【００１２】
速報映像等に対応する付加情報映像は、主映像と違った映像変化特徴を持っていることがある。故に、故に、フレーム間比較を用いて映像変化量を検出し、その検出結果を用いることで付加情報映像の有無等を良好に判定することが可能となる。
【００１３】
或いは具体的には例えば、前記判定部は、前記対象映像のフレーム間比較を用いて前記対象映像内の各位置の映像変化量を検出し、その検出結果を用いて前記判定を行うとともに前記付加情報映像の映像領域の候補領域を設定し、前記候補領域に基づき前記付加情報映像の映像領域を検出することが好ましい。
【００１４】
映像変化量の検出結果を用いて、一旦、付加情報映像の映像領域の候補領域を設定し、候補領域を元に付加情報映像の映像領域を検出する構成を採用することで、例えば候補領域が修正される機会が与えられる。結果、付加情報映像の映像領域の正確なる検出が期待される。
【００１５】
より具体的には例えば、前記付加情報映像の位置及び形状に関する所定のパターン情報を保持するメモリを当該映像再生装置に更に設けておいても良い。そして、前記判定部は、前記候補領域と前記パターン情報との照合結果に応じて、前記候補領域を元に前記付加情報映像の映像領域を検出することが好ましい。
【００１６】
これにより、例えば、所定のパターン情報を利用して候補領域が修正される機会が与えられる。結果、付加情報映像の映像領域の正確なる検出が期待される。
【００１７】
更に例えば、前記判定部は、前記候補領域が前記付加情報映像の映像領域に相当するか否かを、判定基準を用いて決定することが好ましい。前記判定基準は、例えば、前記候補領域内の輝度の分布、前記候補領域内の所定の色成分の分布、通信又は放送波受信を介して取得された情報であって、前記対象映像の録画時刻を基準とした時刻に関連付けられた情報の内容、の内、少なくとも１つを含んでいると良い。
【００１８】
速報映像等に対応する付加情報映像は、輝度又は色成分の分布において特有の特徴を有していることがある。或いは、通信又は放送波受信を介して取得された情報から、速報映像等に対応する付加情報映像が対象映像に付与されている可能性を探ることができる場合がある。故に、上記の如く判定基準を用いる構成を採用すれば、付加情報映像の有無判定の精度向上が期待される。
【００１９】
また例えば、前記判定基準は、前記候補領域内の文字の有無又は内容を更に含んでいてもよい。
【００２０】
速報映像等に対応する付加情報映像は、文字の有無又は内容について特有の特徴を有していることがある。故に、文字の有無等を判定基準に含めるようにすれば、付加情報映像の有無判定の精度向上が期待される。
【００２１】
また例えば、前記判定部は、前記対象映像の再生を求める指示の入力前に前記判定を行っても良い。この際、前記再生処理部は、前記対象映像の再生の際に、その判定結果を参照することができる。
【００２２】
判定部における判定を再生段階で行う場合、判定の実行に伴う再生待ち時間が発生し得る。当該判定を事前に行っておくことで、そのような再生待ち時間の発生が抑制される。
【００２３】
また例えば、前記付加情報映像は、前記対象映像の録画時刻での情報の映像を含んでいると良い。
【００２４】
対象映像の録画時刻での情報の映像を再生時に再生しても、基本的に視聴者の役に立たない。そのような不要映像が付加情報映像として対象映像に付与されているときに、主映像を拡大再生すれば、不要映像の再生が回避され、主映像が大きく映し出されて見やすくなる。
【００２５】
本発明に係る映像再生方法は、主映像を含む録画された対象映像に付加情報映像が付与されているか否かを、前記対象映像の映像信号に基づいて判定する判定ステップと、前記対象映像に前記付加情報映像が付与されている場合、前記対象映像から前記主映像を抽出し、抽出主映像を拡大して再生する再生処理ステップと、を備えたことを特徴とする。
【００２６】
これにより、対象映像に付加情報映像が付与されている場合であっても、再生が望まれる主映像が大きく映し出され、主映像の再生品質向上が図られる。
【発明の効果】
【００２７】
本発明によれば、主映像の再生品質向上に寄与する映像再生装置及び映像再生方法を提供することが可能である。
【図面の簡単な説明】
【００２８】
【図１】本発明の第１実施形態に係る録画再生装置の全体ブロック図である。
【図２】放送信号による通常映像及び速報込映像を示す図である。
【図３】対象番組の放送時間帯を示す図である。
【図４】録画ファイルの構造を示す図である。
【図５】対象映像から抽出された静止領域の例を示す図である。
【図６】パターン情報のテーブルデータを示す図である。
【図７】パターン情報にて規定されるパターン領域を示す図である。
【図８】本発明の第１実施形態に係り、再生時における録画再生装置の動作フローチャートである。
【図９】速報映像を含む対象映像から主映像が抽出されて出力映像が生成される様子を示す図である。
【図１０】速報映像除去機能のオン／オフ時における再生映像を示す図である。
【図１１】本発明の第２実施形態に係り、再生時における録画再生装置の動作フローチャートである。
【図１２】本発明の第４実施形態に係るマスク再生時の再生映像を示す図である。
【図１３】放送される、主映像及び速報映像の合成映像を示す図である。
【発明を実施するための形態】
【００２９】
以下、本発明の実施形態の例を、図面を参照して具体的に説明する。参照される各図において、同一の部分には同一の符号を付し、同一の部分に関する重複する説明を原則として省略する。尚、本明細書では、記述の簡略化上、情報、信号、物理量、状態量又は部材等を参照する記号又は符号を記すことによって該記号又は符号に対応する情報、信号、物理量、状態量又は部材等の名称を省略又は略記することがある。
【００３０】
＜＜第１実施形態＞＞
本発明の第１実施形態を説明する。図１に、本発明の第１実施形態に係る録画再生装置１の全体ブロック図を示す。録画再生装置１は、符号１１〜２０によって参照される各部位を備える。表示装置２は、液晶ディスプレイ装置などの、録画再生装置１に接続された外部表示装置である。但し、表示装置２は録画再生装置１に内包されていても良い。
【００３１】
チューナ１１は、アンテナＡＴを介して受信した放送信号に含まれる所望のチャンネルの放送信号を復調し、復調された放送信号を出力する。放送信号は、各放送局から放送され、映像信号及び音声信号を含む。従って、チューナ１１の出力信号は、復調によって得られた映像信号及び音声信号を含む。以下、映像信号及び音声信号をまとめてＡＶ信号と呼ぶ。
【００３２】
映像音声処理部１２は、チューナ１１からのＡＶ信号を出力部１９に送ることができる。また、映像音声処理部１２は、チューナ１１からのＡＶ信号をメディアドライバ１３に送ることができると共に、メディアドライバ１３からのＡＶデータを出力部１９に送ることもできる。映像音声処理部１２は、ＡＶ信号をメディアドライバ１３に送るとき、ＡＶ信号を圧縮符号化することができ、メディアドライバ１３からのＡＶ信号が圧縮符号化されているとき、メディアドライバ１３からのＡＶ信号を伸長復号化することができる。
【００３３】
メディアドライバ１３は、映像音声処理部１２からのＡＶ信号を記録メディア（記録媒体）１４に記録することができると共に、記録メディア１４に記録されたＡＶ信号を読み出して映像音声処理部１２に送ることができる。記録メディア１４は、磁気ディスク、光ディスク、光磁気ディスク若しくは半導体メモリ等又はそれらの組み合わせにて形成され、任意のデータ及び信号を記録可能である。尚、記録メディア１４の全部又は一部は、録画再生装置１に対して着脱自在であっても良いし、録画再生装置１の外部に存在していても良い。
【００３４】
指示受付部１５は、操作パネル等を含み、ユーザからの各種操作及び指示の入力を受け付ける。図示されないリモートコントローラを介して、ユーザからの各種操作及び指示が指示受付部１５（録画再生装置１）に入力されても良い。当該リモートコントローラは、録画再生装置１の一部であると考えても良い。以下、指示受付部１５に入力されたユーザからの指示を、入力指示という。
【００３５】
制御部１６は、ＣＰＵ（Central Processing Unit）等にて形成され、入力指示に従いつつ、録画再生装置１内の各部位の動作を統括的に制御する。制御部１６は、チューナ１１、映像音声処理部１２及びメディアドライバ１３を制御することで、入力指示に従った番組のＡＶ信号を記録メディア１４に記録することができる。記録メディア１４へのＡＶ信号の記録を録画と呼ぶ。尚、或る番組の録画と、当該番組のＡＶ信号の記録メディア１４への記録は、同義である。メモリ１７は、ＲＯＭ（Read Only Memory）及びＲＡＭ（Random Access Memory）を含み、制御部１６で実行されるプログラムや各種データを不揮発的に記憶すると共に録画再生装置１内で参照される任意のデータを一時記憶する。
【００３６】
ＯＳＤ（On Screen Display）部１８は、制御部１６からの指示に基づいて生成したＯＳＤデータを出力部１９に送る。ＯＳＤデータは、設定メニュー等を示す映像の映像信号である。出力部１９は、映像音声処理部１２からのＡＶ信号に含まれる映像信号及び音声信号を表示装置２に供給する。これにより、表示装置２において、出力部１９からの映像信号及び音声信号が映像及び音として再生される。出力部１９は、映像信号を表示装置２に供給する際、映像音声処理部１２からの映像信号にＯＳＤデータを合成し、これによって得られた合成映像信号を表示装置２に供給しても良い。また、出力部１９は、そのような合成を行わずにＯＳＤデータをそのまま表示装置２に供給することもできる。出力部１９から表示装置２に供給されるべき信号及びデータは制御部１６によって制御される。
【００３７】
通信部２０は、インターネット網などの任意のネットワークＮＥＴに接続可能であり、ネットワークＮＥＴを介し、ネットワークＮＥＴに接続された任意の機器との間で、任意の情報を通信可能である。
【００３８】
上述したように、緊急速報等が放送される場合には、元々放送されるべき主映像と緊急速報等の内容を示す速報映像（付加情報映像）との合成映像が１つの映像として放送局から送られてくることがある。図２（ａ）の映像３００は、速報映像を含まず主映像のみによって構成された映像（以下、通常映像という）の例である。図２（ｂ）の映像３１０は、主映像と速報映像を合成することで得られた映像（以下、速報込映像という）の例である。図２（ａ）及び（ｂ）において、映像ＭＭ及びＡＡは、夫々、主映像及び速報映像を表している。以下、速報映像の映像領域を速報領域とも呼ぶ。上述したように、録画済み番組を再生する場合においては、速報映像を表示しても基本的に視聴者の役に立たない。しかも、速報込映像では、通常映像との比較において、速報映像の表示の分、主映像の表示サイズが小さくなる。
【００３９】
そこで、本実施形態では、録画映像に速報映像が付与されているか否かを判定する機能を録画再生装置１に持たせる。そして、当該付与が行われている場合には、録画済み番組の再生時において、記録映像から主映像を抽出して主映像を拡大再生する。これの実現方法について詳説する。
【００４０】
以下、録画によって記録メディア１４に記録された番組を対象番組と呼び、対象番組に注目して上記の実現方法を説明する。対象番組について記録メディア１４に記録された映像、ＡＶ信号、映像信号及び音声信号を、夫々、対象映像、対象ＡＶ信号、対象映像信号及び対象音声信号と呼ぶ。対象映像は、所定のフレームレートで時系列に並ぶ複数のフレームにて形成される。図３に示す如く、対象番組は、時刻ｔA1から時刻ｔA2までの時間帯において放送局３５０より放送された番組であるとする（時刻ｔA3については後述）。対象番組を含む各番組は、録画ファイルに収容された状態で記録メディア１４に記録される。図４に、１つの録画ファイルの構造を示す。記録メディア１４に記録される録画ファイルは、ＡＶ信号とＡＶ信号に関連付けられた録画関連情報を収容している。或る番組についての録画関連情報は、例えば、当該番組についての録画ファイルのファイル名、当該番組の放送局を示すデータ、及び、当該番組の録画開始時刻（放送開始時刻）及び録画終了時刻（放送終了時刻）を含む。
【００４１】
制御部１６は、対象映像に速報映像が付与されているか否かを対象映像信号に基づいて判定することができる。この判定を、便宜上、速報映像判定と呼ぶ。速報映像判定は、対象映像信号以外の情報にも基づいて実行されうる。対象映像に速報映像が付与されている場合、速報映像判定は、対象映像内における速報映像の位置及び形状を検出する処理も含む。速報映像判定に利用可能な複数の判定要素技術について説明する。
【００４２】
――第１判定要素技術――
第１判定要素技術を説明する。対象映像に含まれうる速報映像は、対象映像の放送時間帯（従って対象映像の録画時間帯中の時刻）における情報の映像であり、対象映像の放送時間帯に放送局３５０から発せられた緊急速報等を含む。緊急速報による速報映像は、例えば、災害情報や選挙結果の情報を示す映像である。それらの情報の表示部分は、対象映像内で静止している静止箇所であると言え、速報映像の部分での映像変化は、基本的に主映像のそれに比べて小さい。
【００４３】
上記静止箇所を探索するべく、制御部１６は、対象映像を形成する第１及び第２フレームの映像信号を比較して、第１及び第２フレーム間における対象映像の各位置の映像変化量を検出する。この比較及び検出を行う処理を静止領域探索処理と呼ぶ。静止領域探索処理は、第１及び第２フレーム間での映像変化量が所定量よりも小さい映像領域（以下、静止領域という）の有無及び静止領域の位置及び形状を検出する処理をも含む。ここにおける静止領域を、低変化領域と読み替えても良い。第２フレームは、第１フレームよりも時間的に任意のフレームである。通常、第２フレームは第１フレームの次のフレームであるが、第１及び第２フレーム間に他のフレームが存在していても良い。
【００４４】
第１及び第２フレーム間における或る映像領域の映像変化量は、第１及び第２フレーム間における当該映像領域内の映像信号の変化の大きさを指す。或る映像領域内の映像信号の変化は、例えば、当該映像領域内の平均的な輝度又は色信号値の変化である。色信号値は、映像の赤の強度を示すＲ信号値、映像の緑の強度を示すＧ信号値、映像の青の強度を示すＢ信号値の内の、３つ、任意の２つ又は任意の１つを含んでいて良い。
【００４５】
制御部１６は、所定の時間長（例えば数フレームから数１０フレーム分の時間長）に亘って静止領域探索処理を実行し、その結果を用いて速報映像判定を行う。具体的には例えば、所定の時間長継続して、対象映像中の或る映像領域が静止領域であると判断された場合、制御部１６は、その映像領域（静止領域）を抽出領域Ａとして抽出及び設定する（後述の図８のＳ１１〜Ｓ１３参照）。制御部１６は、抽出領域Ａが速報領域（速報映像の映像領域）であると判定して良い。領域Ａが対象領域に存在しない場合、制御部１６は、対象映像に速報映像が付与されていないと判定してよい。
【００４６】
但し、後述の他の判定要素技術を用いて速報映像の有無等を最終的に判断することも可能である。この場合、制御部１６は、抽出領域Ａを速報候補領域に設定する。速報候補領域は、速報領域の候補（候補領域）である。抽出領域Ａとしての速報候補領域は、必要に応じて修正されるため、それを第１の速報候補領域と呼ぶこともできる（後述の図８のＳ１３参照）。速報候補領域は、最終的に速報領域と判定されないこともある。図５（ａ）、（ｂ）又は（ｃ）に示される対象映像中の領域Ａ1、Ａ2又はＡ3は、抽出領域Ａの例である。図５（ａ）〜（ｃ）において、記号ＷＲが付された実線矩形枠内の領域は、対象映像の全映像領域である。
【００４７】
――第２判定要素技術――
第２判定要素技術を説明する。メモリ１７は、速報映像の表示位置及び形状（即ち速報領域の表示位置及び形状）を規定する所定のパターン情報を保持していても良い。パターン情報は、速報映像判定の実行に先立ってメモリ１７に保持される。対象番組の放送時点から見て過去に放送された番組における速報映像の表示位置及び形状に基づき、パターン情報を定めておくことができる。パターン情報は、録画再生装置１の設計段階又は製造段階等において定められるものであって良い。録画再生装置１の出荷後、メモリ１７に保持されるパターン情報が修正されても良い。
【００４８】
図６に、メモリ１７に保持されるパターン情報のテーブルデータを示す。複数の放送局の夫々に対して１以上のパターン情報を設定し、各パターン情報をメモリ１７に保持しておくことができる。第１〜第３放送局を含む複数の放送局が存在し、図６の例では、第ｉ放送局についてパターン情報ＰＴＮ［ｉ，１］及びＰＴＮ［ｉ，２］がメモリ１７に保持されている（ｉは整数）。パターン情報ＰＴＮ［ｉ，１］は、災害情報が速報映像に示されるときの速報映像の表示位置及び形状を示し、パターン情報ＰＴＮ［ｉ，２］は、選挙情報（選挙結果の情報）が速報映像に示されるときの速報映像の表示位置及び形状を示す。尚、各放送局に対応づけられるパターン情報の個数は任意である。
【００４９】
制御部１６は、上記の如く設定した速報候補領域（即ち抽出領域Ａ）の表示位置及び形状を、対応する放送局のパターン情報の表示位置及び形状と照合し、その照合結果を用いて、速報候補領域を修正することができる。修正を行わなかったとき、速報候補領域はそのまま維持される。制御部１６は、修正又は維持された速報候補領域を速報領域であると判定することができる。但し、後述の他の判定要素技術を用いて速報映像の有無等を最終的に判断することもできる。
【００５０】
パターン情報にて規定される表示位置及び形状を持つ速報領域をパターン領域と呼ぶ。制御部１６は、抽出領域Ａとしての速報候補領域（第１の速報候補領域）と対象番組に対応する放送局についてのパターン領域との間で、表示位置及び形状に関する照合を行う。そして、抽出領域Ａとしての速報候補領域と一致又は近似しているパターン領域が存在している場合、制御部１６は、パターン情報に基づいて速報候補領域Ｘを設定する。抽出領域Ａとしての速報候補領域と一致又は近似しているパターン領域が存在しない場合、抽出領域Ａとしての速報候補領域（第１の速報候補領域）を速報候補領域Ｘに設定する。速報候補領域Ｘ（以下単に領域Ｘとも呼ぶ）は、修正又は維持された速報候補領域であり、領域Ｘを第２の速報候補領域と呼んでも良い（後述の図８のＳ１４〜Ｓ１７も参照）。
【００５１】
具体的な例として、今、対象番組の放送局３５０（図３）が第１放送局であった場合を考える。この場合、制御部１６は、第１放送局のパターン情報ＰＴＮ［１，１］にて規定される速報領域をパターン領域Ｂとして設定し、抽出領域Ａとパターン領域Ｂとの照合を行う。そして、抽出領域Ａとパターン領域Ｂとが一致又は近似している場合、パターン領域Ｂを領域Ｘに設定する。抽出領域Ａとパターン領域Ｂとが一致又は近似していない場合、第１放送局のパターン情報ＰＴＮ［１，２］にて規定される速報領域をパターン領域Ｂに再設定し、再度、照合を行う。抽出領域Ａと再設定されたパターン領域Ｂとが一致又は近似している場合、再設定されたパターン領域Ｂを領域Ｘに設定する。第１放送局に対応する何れのパターン領域Ｂも抽出領域Ａと一致又は近似していない場合、抽出領域Ａを領域Ｘに設定する。
【００５２】
図７に示す領域Ｂ1がパターン領域Ｂである場合を考える。この場合において、抽出領域Ａが図５（ａ）の領域Ａ1であるならば、抽出領域Ａとパターン領域Ｂが一致又は近似していると判断される。しかしながら、抽出領域Ａが図５（ｃ）の領域Ａ3であるならば、抽出領域Ａとパターン領域Ｂは一致又は近似していないと判断される。領域Ａ及びＢ間の一致又は近似とは、領域Ａ及びＢ間における表示位置及び形状の一致又は近似である。領域Ａ及びＢが一致又は近似しているか否かを、領域Ａ及びＢの表示位置及び形状に基づき、所定のアルゴリズム（公知のパターンマッチング等）に従って判断すれば良い。
【００５３】
――第３判定要素技術――
第３判定要素技術を説明する。制御部１６は、第１判定要素技術による速報候補領域（即ち抽出領域Ａ）又は第１及び第２判定要素技術による速報候補領域Ｘが、対象映像中の速報領域に相当するのか否かを、付加判定基準を用いて決定することができる。以下では、第１及び第２判定要素技術による速報候補領域Ｘに注目して当該決定方法を説明するが、速報候補領域Ｘは、第２判定要素技術を用いずに設定された速報候補領域（即ち抽出領域Ａ）であると捉えても良い。
【００５４】
災害情報等を示す速報映像の輝度分布や色彩分布は、主映像のそれと比べて単調であることが予想される。従って、第３判定要素技術では、付加判定基準として、領域Ｘ内の輝度の分布、若しくは、領域Ｘ内の所定の色成分の分布、又は、それらの双方の分布を用いる。ここにおける色成分は、例えば、赤、緑及び青の内の、３つ又は任意の２つ又は任意の１つを含む。
【００５５】
制御部１６は、領域Ｘ内の全画素における輝度値の標準偏差ＹSDを、領域Ｘ内の輝度の分布として求めることができる。制御部１６は、領域Ｘ内の全画素におけるＲ信号値の標準偏差ＲSD、Ｇ信号値の標準偏差ＧSD、Ｂ信号値の標準偏差ＢSDを、夫々、領域Ｘ内の赤成分の分布、緑成分の分布、青成分の分布として求めることができる（後述の図８のＳ１８参照）。
【００５６】
そして、制御部１６は、１以上の判定用標準偏差が全て所定閾値以下である場合、領域Ｘ内の映像は単調であると判定し、そうでない場合、領域Ｘ内の映像は単調でないと判定する。標準偏差ＹSD、ＲSD、ＧSD及びＢSDの全て、又は、標準偏差ＹSD、ＲSD、ＧSD及びＢSDの内の任意の１つ、２つ又は３つを判定用標準偏差に含めることができる。領域Ｘ内の映像が単調であると判定した場合、制御部１６は、領域Ｘを速報領域であると判定して良い。但し、更に他の付加判定基準を用いて、領域Ｘが対象映像中の速報領域に相当するのか否かを決定しても良い。領域Ｘ内の映像が単調でないと判定した場合、制御部１６は、領域Ｘは速報領域ではないと判定する（即ち、対象映像に速報映像は存在しないと判定する）。
【００５７】
――第４判定要素技術――
第４判定要素技術を説明する。対象番組の録画時刻を基準とする時間帯（以下、検索時間帯という）おいて災害発生や選挙結果発表等が行われていたか否かを、ネットワークＮＥＴ等を経由して検索し、その検索結果を付加判定基準として用いても良い。検索時間帯は、対象番組の放送時間帯（即ち、図３の時刻ｔA1から時刻ｔA2までの時間帯）を含む。検索時間帯は、時刻ｔA1よりも所定時間だけ前の時刻と時刻ｔA1との間の時間帯を、更に含んでいても良い。これに加えて又はこれに代えて、検索時間帯は、時刻ｔA2と時刻ｔA2よりも所定時間だけ後の時刻との間の時間帯を、更に含んでいても良い。制御部１６は、録画ファイルの録画関連情報から時刻ｔA1及びｔA2を認識できる。検索時間帯において災害発生や選挙結果発表等の事実を確認できなかった場合、領域Ｘが速報領域である可能性は低いと判断される。
【００５８】
従って、第４判定要素技術を利用する制御部１６は、検索時間帯内の時刻に関連付けられた情報（以下、参照情報という）の内容を付加判定基準に含め、参照情報の内容に応じて速報可能性Ｑを導出する（後述の図８のＳ２０及びＳ２１参照）。速報可能性Ｑは、領域Ｘが、災害情報等を示す速報領域に相当する可能性を示す。そして、速報可能性Ｑが所定値ＱTH以上のとき、領域Ｘが速報領域であると確定することができる（ＱTH＞０）。速報可能性Ｑが所定値ＱTH未満のときには、領域Ｘは速報領域でないと判断される（即ち、対象映像に速報映像は存在しないと判定される）
【００５９】
参照情報は、通信部２０により、ネットワークＮＥＴを介してネットワークＮＥＴの接続機器（録画再生装置１以外の接続機器）から取得した情報ＩNETを含む。情報ＩNETは検索時間帯に発行された情報である。
【００６０】
例えば、所定機関（災害なら気象庁）のホームページのＸＭＬデータテーブルや所定のデータベースから、ネットワークＮＥＴを通じて取得した災害関連情報及び選挙結果情報が情報ＩNETに含まれる。検索時間帯内での自然災害（地震、津波又は台風等）の発生を示す災害関連情報が取得された場合、速報可能性Ｑは初期値（例えば０）から増大せしめられる。このとき、所定機関のホームページ又は情報信頼性の高い所定のデータベースから災害関連情報が取得されたならば、速報可能性Ｑを所定値ＱTH以上に高めて良い。
【００６１】
或いは、ＳＮＳ（ソーシャルネットワーキングサービス）や所謂ブログ等のウェブサイトにおいて、検索時間帯内で所定のキーワード（地震、津波、台風、選挙又は選挙速報等）が出現している場合も速報可能性Ｑを増大させて良い。この場合、その出現頻度が高まるにつれて、速報可能性Ｑをより増大させると良い（即ち情報の精度が高いと判断して良い）。
【００６２】
参照情報は、アンテナＡＴによる放送波の受信を介し、放送信号より得られたＥＰＧ情報（電子番組表情報）を含んでいても良い。上述の説明では特に記述しなかったが、放送信号はＥＰＧ情報を含んでおり、図１の映像音声処理部１２において放送信号からＥＰＧ情報を分離抽出することができる。ＥＰＧ情報には、各放送局が放送する番組のタイトル及び内容が含まれている。
【００６３】
制御部１６は、時刻ｔA1又はｔA2より後の時刻におけるＥＰＧ情報を、メモリ１７又は記録メディア１４に（例えば対象番組についての録画関連情報内に）保存しておくことができる。そして、保存したおいたＥＰＧ情報を参照情報に含めて利用することができる。例えば、時刻ｔA2から所定時間後の時刻ｔA3（図３参照）を検索時間帯に含めておき、時刻ｔA3に取得されたＥＰＧ情報を参照する。制御部１６は、時刻ｔA3のＥＰＧ情報における各番組のタイトル及び内容に、所定のキーワード（地震、津波、台風、選挙又は選挙速報等）が存在している場合、速報可能性Ｑを増大させて良い。この場合、その存在個数の増大につれて速報可能性Ｑをより増大させると良い。例えば、地震が発生した場合、その発生後、しばらくしてから当該地震に関する特別番組が放送される可能性が高いからである。
【００６４】
上述の第１及び第２判定要素技術は、速報領域である可能性を有した映像領域を抽出及び設定する技術に相当する。第１判定要素技術の利用によって、速報領域である可能性を有した映像領域を良好に抽出できる。第２判定要素技術の利用によって、速報領域である可能性を有した映像領域の位置及び形状を修正できる。上述の第３及び第４判定要素技術は、速報領域である可能性を有した映像領域が本当に速報領域であるのかを判別する技術に相当する。第３及び第４判定要素技術の利用によって、速報領域の有無判定精度が高まる。
【００６５】
――動作フローチャート――
次に、図８を参照し、対象番組の再生が指示された場合における録画再生装置１の動作の流れを説明する。図８の動作フローチャートでは、上述の第１〜第４判定要素技術の全てが適用されている。ステップＳ１１〜Ｓ２３の処理は、制御部１６により実行される又は制御部１６の制御の下で実行される。
【００６６】
ステップＳ１０において、録画済みの対象番組の再生がユーザにより指示されると、ステップＳ１１において、第１判定要素技術における対象映像のフレーム間比較により静止領域が探索される。続くステップＳ１２において対象映像内に静止領域が存在すると判断されると、ステップＳ１３にて該静止領域が抽出領域Ａとして抽出された後、ステップＳ１４へ移行する。対象映像内に静止領域が存在しない場合、速報映像は存在しないと判定してステップＳ２５へ移行する。
【００６７】
ステップＳ１４では、第２判定要素技術に従い、対象番組の放送局に対応するパターン情報がメモリ１７から読み出され、読み出されたパターン情報に基づくパターン領域Ｂが設定される。そして、ステップＳ１５において、上述の方法に従い抽出領域Ａとパターン領域Ｂが比較される。抽出領域Ａと一致又は近似しているパターン領域Ｂが存在する場合、ステップＳ１６において、そのパターン領域Ｂを領域Ｘ（第２の速報候補領域）に設定する（即ち、速報候補領域がパターン領域Ｂに修正される）。一方、抽出領域Ａと一致又は近似しているパターン領域Ｂが存在しない場合、ステップＳ１７において、抽出領域Ａを領域Ｘに設定する（即ち、速報候補領域が、第１の速報候補領域としての抽出領域Ａにて維持される）。
【００６８】
ステップＳ１６又はＳ１７にて領域Ｘが設定された後、ステップＳ１８において、領域Ｘの輝度及びＲＧＢ成分に関する上記標準偏差ＹSD、ＲSD、ＧSD及びＢSDを導出し、続くステップＳ１９にて、それらの標準偏差を所定閾値と比較する。標準偏差ＹSD、ＲSD、ＧSD及びＢSDが全て所定閾値以下である場合にはステップＳ２０へ移行するが、そうでない場合、速報映像は存在しないと判定してステップＳ２５へ移行する。
【００６９】
ステップＳ２０及びＳ２１では、第４判定要素技術に従い、録画時刻を元にネットワークＮＥＴ等を介して上記参照情報を取得し、取得した参照情報から速報可能性Ｑを導出する。そして、ステップＳ２２において速報可能性Ｑを所定値ＱTHと比較し、速報可能性Ｑが所定値ＱTH以上ならステップＳ２３へ移行する。一方、速報可能性Ｑが所定値ＱTH未満なら、速報映像は存在しないと判定してステップＳ２５へ移行する。
【００７０】
ステップＳ２３において、制御部１６は、領域Ｘが速報領域であると確定し（最終的に判定し）、続くステップＳ２４において、領域Ｘを除いた領域の映像、即ち、主映像の拡大再生を行う。主映像の拡大再生とは、対象映像の全映像領域から速報映像（即ち領域Ｘ）を除去して主映像を抽出し、抽出主映像を拡大した映像を出力映像として出力部１９から表示装置２に出力することを指す。出力映像は、表示装置２の所定表示領域の全体を用いて表示される。この際、映像の拡大の前後において、抽出主映像のアスペクト比を不変にすると良い。
【００７１】
例えば、対象映像が図２（ｂ）の速報込映像３１０である場合、図９に示す如く、対象映像３１０から主映像ＭＭを抽出し、抽出主映像ＭＭを拡大することで出力映像ＭＭ’を生成する。図１０（ａ）に示す如く、出力映像ＭＭ’ は表示装置２の所定表示領域４００の全体を用いて表示される。対象映像に速報映像が付与されているときに速報映像を除去して主映像を抽出及び拡大再生する機能を速報映像除去機能と呼ぶ。ユーザは、指示受付部１５を通じて速報映像除去機能を有効又は無効に設定することができる。図８の動作は、速報映像除去機能が有効（オン）になっているときの動作である。仮に、速報映像除去機能が無効（オフ）に設定されていた場合において、対象映像が速報込映像３１０であるならば、映像３１０そのものが出力映像となって、図１０（ｂ）のような表示が成される。図１０（ａ）及び（ｂ）では、表示装置２の全表示領域が所定表示領域４００になっているが、所定表示領域４００は表示装置２の全表示領域の一部でも良い。
【００７２】
ステップＳ２５では、対象映像がそのまま出力映像として再生される（これを通常再生という）。即ち例えば、対象映像が図２（ａ）の通常映像３００である場合、ステップＳ２５への移行が発生して、映像３００がそのまま出力映像として再生される。尚、ステップＳ２４及びＳ２５にて出力映像を生成する過程において、メディアドライバ１３からの対象ＡＶ信号を伸長復号化（デコード）する処理が介在する。勿論、対象映像に基づく出力映像の再生時には、対象音声信号も同期して再生される。
【００７３】
本実施形態によれば、再生時には表示してもあまり意味を成さない速報映像が除去され、主映像を、通常の表示サイズで再生することができる。
【００７４】
尚、対象映像に速報映像が付与されている場合において、領域Ｘが真の速報領域からずれていることもある。故に、ユーザによる入力指示に従い領域Ｘを修正できるようにしておくと良い。領域Ｘの修正は、領域Ｘを領域Ａから領域Ｂへ変更すること、又は、その逆を含む。具体的な手法としては、図８の動作フローチャートに従いステップＳ２４又はＳ２５にて主映像の拡大再生又は対象映像の通常再生を開始した後、ユーザから領域Ｘの修正を求める入力指示があった場合に当該修正を実行する。或いは、ステップＳ１３及びＳ１４にて領域Ａ及びＢを定めた後、領域Ａ及びＢのどちらが領域Ｘとなるべきか（速報領域に相当するか）をＯＳＤデータを用いてユーザに問い合わせても良い。この場合、この問い合わせに応答したユーザの入力指示に従い、領域Ａ又はＢを領域Ｘに設定する。このような問い合わせの実行は、特に、領域Ａ及びＢ間の近似度が中程度の場合に有益である。
【００７５】
また、抽出領域Ａと一致又は近似しているパターン領域Ｂが存在しない場合、ステップＳ１７において、制御部１６は、抽出領域Ａを領域Ｘに設定しつつ、抽出領域Ａを新たなパターン領域と捉えて、新たなパターン領域についてのパターン情報をメモリ１７に追記しても良い。この追記により、以降の判断の精度向上が期待される。
【００７６】
＜＜第２実施形態＞＞
本発明の第２実施形態を説明する。第２実施形態並びに後述の第３及び第４実施形態は第１実施形態を基礎とする実施形態であり、第２〜第４実施形態において特に述べない事項に関しては、特に記述無き限り且つ矛盾の無い限り、第１実施形態の記載が第２〜第４実施形態にも適用される。矛盾の無い限り、第１〜第４実施形態の内、任意の複数の実施形態を組み合わせても良い。
【００７７】
第１実施形態の図８の動作では、第１〜第４判定要素技術の全てが実施されているが、第１〜第４判定要素技術の内、一部の判定要素技術の実施を割愛しても良い。但し、速報映像判定の精度向上のためには、それらを全て実施した方が好ましい。
【００７８】
例えば、ステップＳ１３にて抽出領域Ａが設定された後、無条件で抽出領域Ａを領域Ｘに設定して、ステップＳ１８、Ｓ２０又はＳ２３へ直接移行しても良い。
或いは例えば、ステップＳ１６又はＳ１７にて領域Ｘが設定された後、ステップＳ１８及びＳ１９の処理又はステップＳ１８〜Ｓ２２の処理を割愛して、ステップＳ２０又はＳ２３へ直接移行しても良い。
或いは例えば、ステップＳ１９において判定用標準偏差が所定閾値以下である場合には、ステップＳ２０〜Ｓ２２の処理を割愛して、ステップＳ２３へ直接移行しても良い（判定用標準偏差の意義については、第３判定要素技術の説明を参照）。
【００７９】
また、第３及び第４判定要素技術において述べた付加判定基準は例示に過ぎず、他の付加判定基準を用いて、速報候補領域Ｘが速報領域に相当するのか否かを決定しても良い。例えば、領域Ｘ内の文字の有無若しくは内容、又は、それらの双方を付加判定基準に含めても良い（即ち、領域Ｘ内の文字の有無又は内容に基づき、速報候補領域Ｘが速報領域に相当するのか否かを決定しても良い）。速報領域には災害情報等を示す文字が示されていると予想されるため、文字の有無等による付加判定基準を利用することで、速報領域の有無判定精度が高まる。
【００８０】
第３及び第４判定要素技術における付加判定基準と、文字の有無等による付加判定基準を組み合わせときの具体的な動作を、図１１を参照して説明する。
【００８１】
領域Ｘの設定後、制御部１６は、領域Ｘ内の映像信号に基づき領域Ｘ内の文字を検出及び抽出する文字検出処理を実行し、その結果から評価値ＥＶAを求める（ステップＳ３１）。領域Ｘから一定数以上の文字が検出された場合、評価値ＥＶAに所定値ＥＶA1を設定する。但し、この場合において、領域Ｘから抽出された文字の中に、所定のキーワード（地震、津波、台風、選挙又は選挙速報等）が含まれている場合、評価値ＥＶAに所定値ＥＶA2を設定する。領域Ｘから一定数以上の文字が検出されない場合には、評価値ＥＶAに所定値ＥＶA0を設定する。ここで、“０≦ＥＶA0＜ＥＶA1＜ＥＶA2”である。
【００８２】
一方で、領域Ｘの設定後、制御部１６は、上述の判定用標準偏差を導出し、判定用標準偏差に基づき評価値ＥＶBを求める（ステップＳ３２）。この際、判定用標準偏差が小さいほど評価値ＥＶBが高くなるようにする。判定用標準偏差が２以上の標準偏差（例えば、ＹSD、ＲSD、ＧSD及びＢSD）から形成される場合、例えば、２以上の標準偏差の平均値を判定用標準偏差とすればよい。
【００８３】
更に、領域Ｘの設定後、制御部１６は、ネットワークＮＥＴ等を介して取得した参照情報から評価値ＥＶCを求める（ステップＳ３３）。第１実施形態で述べた速報可能性Ｑを評価値ＥＶCに設定することができる。
【００８４】
その後、制御部１６は、下記式（１）に従って速報可能性Ｑ’を導出する。ここで、ｋA、ｋB及びｋCは、所定値を持つ係数である。速報可能性Ｑ’が所定値ＱTH以上の場合には、図８のそれらと同じステップＳ２３及びＳ２４の処理が実行される。速報可能性Ｑ’が所定値ＱTH未満の場合には、領域Ｘは速報領域ではないと判定されて図８のそれと同じステップＳ２５の処理が実行される。
Ｑ’＝ｋA・ＥＶA＋ｋB・ＥＶB＋ｋC・ＥＶC      …（１）
【００８５】
係数ｋA、ｋB及びｋCの夫々は０以上の値を持つ。係数ｋA、ｋB及びｋCの内、任意の１つ又は２つの係数の値は０であっても良い。係数ｋA、ｋB及びｋCの値は固定値であっても良いが、制御部１６にて係数ｋA、ｋB及びｋCの値を可変設定しても良い。当該可変設定を入力指示に従って行っても良い。或いは例えば、録画再生装置１において対象番組より過去に録画された番組の傾向に基づき、係数ｋA、ｋB及びｋCの値を可変設定しても良い。
【００８６】
より具体的には例えば、領域Ｘに単調な静止映像（出演者の発話内容の文言等の映像）が頻繁に表示されるようなニュース番組が、対象番組の放送時間帯より過去において高い頻度で録画されている傾向があったとする。そして、対象番組のジャンルがニュースであり、対象映像から静止領域が領域Ａとして抽出されると共に領域Ａに基づく領域Ｘが設定されたとする。この場合、対象番組のジャンルがニュースであること及び上記傾向から、対象映像内の領域Ｘに対する判定用標準偏差が比較的小さくなって評価値ＥＶBが比較的大きくなりやすくなる。評価値ＥＶBが大きくなると速報可能性Ｑ’が高まる（領域Ｘが速報領域であると判定される可能性が高まる）。しかしながら、上記傾向に鑑みれば、速報映像に当たらない映像が対象番組の領域Ｘに表示されている可能性も高い。従って、この場合、制御部１６は、対象番組のジャンルがニュースであること及び上記傾向に基づき、例えば係数ｋBの値を初期値から減少させると良い。
【００８７】
＜＜第３実施形態＞＞
本発明の第３実施形態を説明する。速報映像判定を、ユーザによる再生指示の入力前（例えば、対象映像の録画の際、或いは、対象映像の録画後であって且つ再生指示の入力前）に実行するようにしても良い。速報映像判定は、領域Ａを探索及び抽出する処理、領域Ｘを設定する処理及び領域Ｘが速報領域に相当するのかを判定する処理を含む。
【００８８】
即ち、第１又は第２実施形態において、制御部１６は、速報映像判定を対象番組（対象映像）の録画の期間中に実行し、速報映像判定の結果データを対象番組に関連付けて記録メディア１４又はメモリ１７に保存しておいても良い。或いは、第１又は第２実施形態において、制御部１６は、対象番組の録画終了後であって且つ対象番組（対象映像）の再生を求める指示が指示受付部１５に入力される前に、速報映像判定を実行しても良い。この場合も、速報映像判定の結果データを対象番組に関連付けて記録メディア１４又はメモリ１７に保存しておく。対象番組に関連付けるために、例えば、速報映像判定の結果データを対象番組の録画ファイルにおける録画関連情報に含めておくと良い（図４参照）。その後、対象番組（対象映像）の再生を求める入力指示が指示受付部１５に与えられたとき、制御部１６は、上記の如く保存しておいた速報映像判定の結果データを取得し、その結果データに応じて、ステップＳ２４の主映像の拡大再生又はステップＳ２５の対象映像の通常再生を行う（図８、図１１参照）。
【００８９】
速報映像判定の処理負荷等にも依存するが、速報映像判定を再生段階で行う場合、速報映像判定の実行に伴う再生待ち時間が発生し得る。本実施形態の如く、録画段階等で速報映像判定を行っておくことで、そのような再生待ち時間の発生が回避される。
【００９０】
尚、対象番組の録画の際に速報映像判定を行う場合において、対象映像に速報映像が付与されているとき、映像音声処理部１２は、対象番組の録画の段階で対象映像から速報映像（即ち領域Ｘ）を除去し、主映像を拡大した映像の映像信号を対象映像信号として記録メディア１４に記録するようにしても良い。この場合、再生時には対象映像信号をそのまま再生するだけで、図１０（ａ）のような映像が表示される。但し、速報映像判定に誤判定が有りうること等を考慮すれば、録画段階では領域Ｘの映像信号も記録しておいた方が良い（オリジナルの対象映像を記録しておいた方が良い）。
【００９１】
＜＜第４実施形態＞＞
本発明の第４実施形態を説明する。対象映像の全区間において速報映像判定を周期的に繰り返し実行することができる。この場合において、速報映像が存在する速報映像有区間と速報映像が存在しない速報映像無区間とが対象映像の全区間中に混在していたとすると、速報映像有区間では主映像の拡大再生が行われ、速報映像無区間では対象映像の通常再生が行われる。そうすると、速報映像無区間から速報映像有区間への切り替わりにおいて主映像の表示サイズが拡大され、逆の切り替わりにおいて主映像の表示サイズが縮小される。このような拡大及び縮小が頻繁に行われると、再生映像が、かえって見づらくなる可能性がある。
【００９２】
そこで、第１、第２又は第３実施形態において、速報映像判定により領域Ｘが速報領域であると判定されたとき、制御部１６は、主映像の拡大再生の代わりに、マスク再生を実行するようにしても良い。マスク再生では、対象映像中の速報映像（即ち領域Ｘ内の映像）を所定のマスク映像（例えば黒塗り映像）に置換し、当該置換を経た対象映像（即ち、主映像とマスク映像の合成映像）を出力映像として出力部１９から表示装置２に出力する。図１２に、図９の対象映像３１０に対してマスク再生を実行した場合の、表示装置２の表示の様子を示す。
【００９３】
対象映像に速報映像が含まれているときに、主映像の拡大再生と速報領域のマスク再生のどちらを行うのかを選択できるよう、録画再生装置１を形成しておいても良い。ユーザは、その選択を、指示受付部１５を通じ、所定のセットアップモード又は再生中のメニューモード等にて指示することができる。
【００９４】
＜＜変形等＞＞
本発明の実施形態は、特許請求の範囲に示された技術的思想の範囲内において、適宜、種々の変更が可能である。以上の実施形態は、あくまでも、本発明の実施形態の例であって、本発明ないし各構成要件の用語の意義は、以上の実施形態に記載されたものに制限されるものではない。上述の説明文中に示した具体的な数値は、単なる例示であって、当然の如く、それらを様々な数値に変更することができる。
【００９５】
録画再生装置１若しくは制御部１６である対象装置又は制御部１６及び映像音声処理部１２の組み合わせである対象装置を、集積回路等のハードウェア、或いは、ハードウェアとソフトウェアの組み合わせによって構成することができる。対象装置にて実現される機能の全部又は一部である任意の特定の機能をプログラムとして記述して、該プログラムを対象装置に搭載可能なフラッシュメモリに保存しておいても良い。そして、該プログラムをプログラム実行装置（例えば、対象装置に搭載可能なマイクロコンピュータ）上で実行することによって、その特定の機能を実現するようにしてもよい。上記プログラムは任意の記録媒体に記憶及び固定されうる。上記プログラムを記憶及び固定する記録媒体は対象装置と異なる機器（サーバ機器等）に搭載又は接続されても良い。
【００９６】
録画再生装置１は、映像の再生を行う映像再生装置を内包している。本発明に係る映像再生装置は、録画機能を持たない装置であっても良い。制御部１６は、速報映像判定を行う判定部を備えていると言える。主映像の拡大再生を担う再生処理部は、映像音声処理部１２によって、又は、映像音声処理部１２及び制御部１６によって構成される。速報映像は、対象映像に付与されうる付加情報映像（付加情報を示す映像）の例である。本発明に係る付加情報映像は、速報映像に分類されないような任意の情報の映像であっても良い。付加情報映像は、対象映像の録画時刻での情報の映像を含んでいると良い。対象映像の録画時刻での情報は、対象映像の録画時間帯（換言すれば対象番組の放送時間帯）に発生した任意の事象の情報、又は、任意の事象について対象映像の録画時間帯に放送された情報を含む。
【符号の説明】
【００９７】
１  録画再生装置
２  表示装置
１１  チューナ
１２  映像音声処理部
１６  制御部
ＭＭ  主映像
ＡＡ  速報映像
【図１】
2015039117.tif 000003
【図２】
2015039117.tif 000004
【図３】
2015039117.tif 000005
【図４】
2015039117.tif 000006
【図５】
2015039117.tif 000007
【図６】
2015039117.tif 000008
【図７】
2015039117.tif 000009
【図８】
2015039117.tif 000010
【図９】
2015039117.tif 000011
【図１０】
2015039117.tif 000012
【図１１】
2015039117.tif 000013
【図１２】
2015039117.tif 000014
【図１３】
2015039117.tif 000015